(57)【要約】【課題】  ディスプレイに表示されるＧＵＩの視認性を向上させ、誤操作を防止することができる。【解決手段】  情報処理装置（１０）は、ディスプレイ１４を備える。ディスプレイ１４には、複数のアイコン１１２を含むホーム画面１１０またはユーザの操作によっていずれかのアイコン１１２が選択された場合に表示される第２画面が表示される。ホーム画面１１０に表示される複数のアイコン１１２の各々は、他のアイコン１１２とは異なる色が着色された第１領域を含む。第２画面は、対応するアイコン１１２に含まれる第１領域に着色された色と同じ色が着色された第２領域を含む。【選択図】  図４
2019070939.tif 000002
【特許請求の範囲】
【請求項１】
複数の機能を実行可能な情報処理装置であって、
前記複数の機能の各々に割り当てられた複数のアイコンを含む第１画面と、前記複数のアイコンの各々に対応する複数の第２画面とを切り替えて表示するディスプレイを備え、
前記複数のアイコンの各々は、他の前記アイコンに着色された色とは異なる色が着色された第１領域を含み、
前記複数の第２画面の各々は、対応する前記アイコンに含まれる前記第１領域に着色された色と同じ色が着色された第２領域を含む、情報処理装置。
【請求項２】
前記複数の第２画面の各々は、対応する前記アイコン以外の前記アイコンに含まれる前記第１領域に着色された色を含まない、請求項１記載の情報処理装置。
【請求項３】
前記複数のアイコンの各々は、当該複数のアイコンの各々に対応する前記機能に対応するマークを含み、
前記複数の第２画面の各々は、対応する前記アイコンに含まれる前記マークを含む、請求項１または２記載の情報処理装置。
【請求項４】
前記マークは、対応する前記アイコンの前記第１領域に着色された色と同じ色が着色される、請求項３記載の情報処理装置。
【請求項５】
前記アイコンおよび前記第２画面は、相似形である、請求項１ないし４のいずれかに記載の情報処理装置。
【請求項６】
前記アイコンにおける前記第１領域の配置と、前記第２画面における前記第２領域の配置とが同一である、請求項５記載の情報処理装置。
【請求項７】
前記複数のアイコンは、当該複数のアイコンの各々に対応する前記機能に応じてグループに分類されており、
同じ前記グループに属する前記アイコンに含まれる前記第１領域に着色される色は、同系色である、請求項１ないし６のいずれかに記載の情報処理装置。
【請求項８】
請求項１ないし７のいずれかに記載の情報処理装置と、前記情報処理装置と通信可能な画像形成装置とを備え、
前記複数の機能の少なくとも１つは、前記情報処理装置と前記画像形成装置とが協働することによって実行される、情報処理システム。
【発明の詳細な説明】
【技術分野】
【０００１】
この発明は、情報処理装置および情報処理システムに関し、特にたとえば、複数の機能を実行可能な情報処理装置および情報処理システムに関する。
【背景技術】
【０００２】
この種の背景技術の一例が特許文献１に開示される。背景技術の画像形成装置は、ディスプレイを備え、ディスプレイに表示されるＧＵＩ（グラフィカルユーザインタフェース）を介してユーザ操作を受け付ける。たとえば、コピー、ファクスおよびスキャナ等の画像形成装置の機能に割り当てられたボタンを含むメインメニュー画面がディスプレイに表示される。このメインメニュー画面においていずれかのボタンが選択されると、選択されたボタンに対応する機能についての内容を含むサブメニュー画面がディスプレイに表示される。このサブメニュー画面において、具体的な設定が行われ、各機能が画像形成装置で実行される。
【先行技術文献】
【特許文献】
【０００３】
【特許文献１】特開２０１６−２０６９２６号公報
【発明の概要】
【発明が解決しようとする課題】
【０００４】
しかしながら、背景技術の画像形成装置では、メインメニュー画面において、誤操作によってユーザが意図したボタンとは異なるボタンが押されてしまうことがある。また、ディスプレイの表示がサブメニュー画面に切り替わっても、ユーザが誤操作に気づかずに、サブメニュー画面において操作を続けてしまうことがある。
【０００５】
それゆえに、この発明の主たる目的は、新規な、情報処理装置および情報処理システムを提供することである。
【０００６】
この発明の他の目的は、ディスプレイに表示されるＧＵＩの視認性を向上させ、誤操作を防止することができる、情報処理装置および情報処理システムを提供することである。
【課題を解決するための手段】
【０００７】
第１の発明は、複数の機能を実行可能な情報処理装置であって、ディスプレイを備える。ディスプレイは、複数の機能の各々に割り当てられた複数のアイコンを含む第１画面と、複数のアイコンの各々に対応する複数の第２画面とを切り替えて表示する。複数のアイコンの各々は、他のアイコンに着色された色とは異なる色が着色された第１領域を含む。複数の第２画面の各々は、対応するアイコンに含まれる第１領域に着色された色と同じ色が着色された第２領域を含む。
【０００８】
第２の発明は、第１の発明に従属する画像表示装置であって、複数の第２画面の各々は、対応するアイコン以外のアイコンに含まれる第１領域に着色された色を含まない。
【０００９】
第３の発明は、第１または第２の発明に従属する画像表示装置であって、複数のアイコンの各々は、当該複数のアイコンの各々に対応する機能に対応するマークを含み、複数の第２画面の各々は、対応するアイコンに含まれるマークを含む。
【００１０】
第４の発明は、第３の発明に従属する画像表示装置であって、マークは、対応するアイコンの第１領域に着色された色と同じ色が着色される。
【００１１】
第５の発明は、第１ないし第４のいずれかの発明に従属する画像表示装置であって、アイコンおよび第２画面は、相似形である。
【００１２】
第６の発明は、第５の発明に従属する画像表示装置であって、アイコンにおける第１領域の配置と、第２画面における第２領域の配置とが同一である。
【００１３】
第７の発明は、第１ないし第６のいずれかの発明に従属する画像表示装置であって、複数のアイコンは、当該複数のアイコンの各々に対応する機能に応じてグループに分類されており、同じグループに属するアイコンに含まれる第１領域に着色される色は、同系色である。
【００１４】
第８の発明は、第１ないし第７のいずれかの発明の情報処理装置と、情報処理装置と通信可能な画像形成装置とを備え、複数の機能の少なくとも１つは、情報処理装置と画像形成装置とが協働することによって実行される情報処理システムである。
【発明の効果】
【００１５】
この発明によれば、ディスプレイに表示されるＧＵＩの視認性を向上させ、誤操作を防止することができる。
【００１６】
この発明の上述の目的，その他の目的，特徴および利点は、図面を参照して行う以下の実施例の詳細な説明から一層明らかとなろう。
【図面の簡単な説明】
【００１７】
【図１】図１はこの発明の一実施例である情報処理システムの外観構成を示す図解図である。
【図２】図２は図１に示す情報処理装置の電気的な構成を示すブロック図である。
【図３】図３は図１に示す画像形成装置の電気的な構成を示すブロック図である。
【図４】図４はホーム画面の一例を示す図解図である。
【図５】図５はコピー設定画面の一例を示す図解図である。
【図６】図６はコピー設定画面の一例を示す図解図である。
【図７】図７は詳細設定画面の一例を示す図解図である。
【図８】図８は確認画面の一例を示す図解図である。
【図９】図９はスキャン設定画面の一例を示す図解図である。
【図１０】図１０は詳細設定画面の一例を示す図解図である。
【図１１】図１１は第２実施例における色相環を示す図解図である。
【図１２】図１２は第３実施例のカラー設定テーブルの一例を示す図解図である。
【図１３】図１３は第３実施例のホーム画面の一例を示す図解図である。
【発明を実施するための形態】
【００１８】
［第１実施例］
図１はこの発明の情報処理システム１００の構成の一例を示す図解図である。この図１を参照して、この発明の第１実施例である情報処理システム１００は、情報処理装置１０および画像形成装置７０を含む。
【００１９】
情報処理装置１０は、スーパーマーケット、レストランまたはコンビニエンスストアなどの店舗、並びに駅、バスターミナル、空港、役所または図書館などの公共施設に配置されるマルチメディアキオスク（ＭＭＫ）端末である。この情報処理装置１０は、配置される場所に応じて各種情報または所定のサービスを利用者（ユーザ）に提供する。また、詳細は後述するが、情報処理装置１０は、画像形成装置７０と協働して、コピー、プリント、スキャンおよびファクスなどの所定のサービスをユーザに提供することもできる。
【００２０】
なお、この明細書では、ユーザの立ち位置に対向する面、つまり後述するディスプレイ１４が設けられる側の面を前面（正面）として情報処理装置１０およびその構成部材の前後方向（奥行方向）を規定し、情報処理装置１０およびその構成部材の左右方向（横方向）は、ユーザから情報処理装置１０を見た状態を基準として規定する。これらのことは、画像形成装置７０についても同様である。
【００２１】
情報処理装置１０は、タッチパネル１２付きのディスプレイ１４、記録媒体接続部１６、紙片用プリンタ１８、符号読取部２０、近距離通信部２２、貨幣処理部２４、および写真用プリンタ２６を含む装置本体２８を備える。
【００２２】
タッチパネル１２付きのディスプレイ１４は、情報処理装置１０（装置本体２８）の上端部に配置される。タッチパネル１２は、汎用のタッチパネルであり、静電容量方式、電磁誘導方式、抵抗膜方式、赤外線方式など、任意の方式のものを用いることができる。この第１実施例では、タッチパネル１２としては、静電容量方式のタッチパネルが用いられ、ディスプレイ１４の表示面上にタッチパネル１２が設けられる。ただし、タッチパネル１２とディスプレイ１４とが一体的に形成されたタッチパネルディスプレイが用いられてもよい。また、ディスプレイ１４としては、たとえばＬＣＤまたはＥＬ（Electro-Luminescence）ディスプレイなどを用いることができる。
【００２３】
記録媒体接続部１６は、各種の記録媒体を装着するための装着部（たとえばドライブおよびメモリスロット）を含む。各種の記録媒体は、光ディスク（たとえばＣＤ−Ｒ、ＤＶＤ−ＲおよびＢＤ−Ｒなど）およびフラッシュメモリ（たとえばＵＳＢメモリ、ＳＤメモリカードおよびメモリースティックなど）などである。ただし、光ディスクは、ドライブに装着される。また、フラッシュメモリは、メモリスロットに装着される。
【００２４】
紙片用プリンタ１８は、たとえばサーマルプリンタ（感熱式プリンタ）またはドットインパクトプリンタであり、レシート、ジャーナルまたはクーポン券などの画像が印刷された紙片を発行する。具体的には、紙片用プリンタ１８は、ロール紙上に各種の文字列、画像、コードパターン（バーコードなど）などを印刷し、印刷済の紙片を排紙部１８ａから排出する。
【００２５】
符号読取部２０は、たとえばレーザスキャナまたはカメラなどを含み、商品、カード、レシートなどに付された符号またはユーザ端末（携帯端末）の画面に表示された符号などを読み取ることができる。符号読取部２０で読み取ることができる符号には、バーコード（１次元バーコード）または２次元コード（たとえばＱＲコード（登録商標）、マイクロＱＲコード、ＤａｔａＭＡＴＲＩＸ、ＭａｘｉＣＯＤＥおよびＶｅｒｉＣＯＤＥなど）などがある。
【００２６】
近距離通信部２２は、たとえば、ＩＳＯ／ＩＥＣ１８０９２等の通信規格（いわゆるＮＦＣ（Near Field Communication））等に従って、ＩＣカード（身分証、会員証または社員証など）またはユーザ端末等の通信対象との間で無線による非接触のデータ通信を行うものである。近距離通信部２２の通信可能距離は、数ｃｍ〜数ｍ程度である。近距離通信部２２は、通信対象に対して、通信対象に記憶されたデータの読み出しを指示する信号（読出し命令）を送信する。通信対象は、読出し命令に対する応答として所望のデータを近距離通信部２２に送信する。また、近距離通信部２２は、通信対象に書き込むデータ（書き込みデータ）とともに書き込みを指示する信号（書き込み命令）を送信する。通信対象は、書き込み命令に従って、受信した書き込みデータを通信対象の記憶部に書き込む（記憶する）。
【００２７】
貨幣処理部２４は、貨幣投入部２４ａおよび硬貨返却口２４ｂを含む。貨幣投入部２４ａは、硬貨投入口、紙幣投入口および釣銭返却レバー等を含み、近距離通信部２２の下方に配置される。硬貨投入口から投入された硬貨および紙幣投入口から投入された紙幣は、それぞれ種類毎に分類されて所定の貨幣格納部（不図示）に収容される。貨幣格納部は、硬貨用の格納部および紙幣用の格納部を含む。硬貨または紙幣が投入されると、硬貨用の格納部に収容された硬貨の種類および枚数と、紙幣用の格納部に収容された紙幣の種類および枚数とに応じて、投入金額が算出される。情報処理装置１０において所定のサービス等が実行されると、そのサービスの内容に応じた費用が投入金額から減算され、投入金額の残高が算出される。また、釣銭返却レバーが操作されると、投入金額の残高に応じて、硬貨または紙幣が返却される。ただし、硬貨は、貨幣投入部２４ａの下方に設けられる硬貨返却口２４ｂから返却され、紙幣は、紙幣投入口から返却される。
【００２８】
写真用プリンタ２６は、たとえば昇華型プリンタまたはインクジェットプリンタであり、写真用の用紙（写真用紙）上に画像を印刷する。写真用プリンタ２６で印刷された写真は、排出部２６ａに排出される。ただし、用紙上に画像を形成するための画像データとしては、記録媒体接続部１６に接続された記録媒体に記憶された画像データ、または外部コンピュータから送信された画像データ等が利用される。また、写真用プリンタ２６で印刷される写真のサイズは、Ｌ判サイズ、はがきサイズまたは２Ｌ判サイズなどである。
【００２９】
図２は図１に示す情報処理装置１０の電気的な構成を示すブロック図である。図２を参照して、情報処理装置１０はＣＰＵ３２を含む。ＣＰＵ３２には、バス６０を介してＲＡＭ３４、ＲＯＭ３６、タッチパネル制御回路３８、表示制御回路４０、記録媒体接続部１６、紙片用プリンタ１８、符号読取部２０、近距離通信部２２、貨幣処理部２４、写真用プリンタ２６および通信回路４４が接続される。また、タッチパネル制御回路３８にはタッチパネル１２が接続され、表示制御回路４０にはディスプレイ１４が接続される。
【００３０】
ＣＰＵ３２は、情報処理装置１０の全体的な制御を司る。ＲＡＭ３４は、ＣＰＵ３２のワーク領域およびバッファ領域として用いられる。ＲＯＭ３６は、情報処理装置１０の起動プログラムや各種情報についてのデフォルト値を記憶する。
【００３１】
タッチパネル制御回路３８は、タッチパネル１２に必要な電圧などを付与するとともに、タッチパネル１２のタッチ有効範囲内でのタッチ操作（タッチ入力）を検出して、そのタッチ入力の位置を示すタッチ座標データをＣＰＵ３２に出力する。
【００３２】
表示制御回路４０は、ＧＰＵおよびＶＲＡＭなどを含んでおり、ＣＰＵ３２の指示の下、ＧＰＵは、ＲＡＭ３４に記憶された画像生成データを用いてディスプレイ１４に種々の画面を表示するための表示画像データをＶＲＡＭに生成し、生成した表示画像データをディスプレイ１４に出力する。
【００３３】
通信回路４４は、インターネットなどのネットワークに接続するための通信回路である。この通信回路４４は、有線通信回路または無線通信回路であり、ＣＰＵ３２からの指示に従って、ネットワークを介して、サーバ等の外部コンピュータ（外部端末）と通信する。ただし、通信回路４４は、ネットワークを介さずに、有線または無線（たとえば赤外線方式、ＷｉＦｉ（登録商標）方式またはブルートゥース（Bluetooth；登録商標）方式）で、画像形成装置７０およびユーザ端末などと直接通信することも可能である。
【００３４】
なお、図２に示す情報処理装置１０の電気的な構成は単なる一例であり、これに限定される必要はない。
【００３５】
図１に戻って、画像形成装置７０は、複写機能、プリンタ機能、スキャナ機能およびファクシミリ機能などを有する複合機（ＭＦＰ：Multifunction Peripheral）である。
【００３６】
画像形成装置７０は、画像読取部７２、画像形成部７４、給紙装置７６および排紙トレイ７８を含む装置本体８０を備える。ただし、画像形成装置７０は、情報処理装置１０の近傍に設置される。たとえば、画像形成装置７０は、情報処理装置１０の右側に隣接して設けられる。
【００３７】
画像読取部７２は、透明材によって形成される原稿載置台を備え、装置本体８０に内蔵される。原稿載置台の上方には、ヒンジ等を介して原稿押えカバー７２ａが開閉自在に取り付けられる。
【００３８】
また、画像読取部７２は、光源、複数のミラー、結像レンズおよびラインセンサ等を備える。この画像読取部７２は、原稿表面を光源によって露光し、原稿表面から反射した反射光を複数のミラーによって結像レンズに導く。そして、結像レンズによって反射光をラインセンサの受光素子に結像させる。ラインセンサでは、受光素子に結像した反射光の輝度または色度が検出され、原稿表面の画像に基づく読取画像データが生成される。ラインセンサとしては、ＣＣＤ（Charge Coupled Device）またはＣＩＳ（Contact Image Sensor）等が用いられる。
【００３９】
画像形成部７４は、装置本体８０に内蔵され、画像読取部７２の下方に設けられる。この画像形成部７４は、感光体ドラム、帯電装置、露光装置、現像装置、転写装置および定着装置などを備える。画像形成部７４は、給紙装置７６等から搬送される記録媒体（用紙）上に電子写真方式によって画像を形成し、画像形成済みの用紙を画像読取部７２および画像形成部７４の間に設けられる排紙トレイ７８に排出する。ただし、用紙上に画像を形成するための画像データとしては、画像読取部７２で読み取った画像データ、情報処理装置１０から送信された画像データ、または外部コンピュータから送信された画像データ等が利用される。また、記録媒体としては、紙からなる用紙に限定されず、ＯＨＰフィルムなどの紙以外のシートも用いられる。
【００４０】
図３は図１に示す画像形成装置７０の電気的な構成を示すブロック図である。図３を参照して、画像形成装置７０はＣＰＵ８２を含む。ＣＰＵ８２には、バス９０を介してＲＡＭ８４、ＨＤＤ８６、画像読取部７２、画像形成部７４および通信回路９２が接続される。
【００４１】
ＣＰＵ８２は、画像形成装置７０の全体的な制御を司る。ＲＡＭ８４は、ＣＰＵ８２のワーク領域およびバッファ領域として用いられる。
【００４２】
ＨＤＤ８６は、画像形成装置７０の主記憶装置であって、ＣＰＵ８２が画像形成装置７０の各部位の動作を制御するための制御プログラムおよび各種の画面についての表示画像データ等を適宜記憶する。ただし、ＨＤＤ８６に代えて、またはＨＤＤ８６とともに、ＳＳＤ、フラッシュメモリ、ＥＥＰＲＯＭなどの他の不揮発性メモリが用いられてもよい。
【００４３】
通信回路９２は、インターネットなどのネットワークに接続するための通信回路である。この通信回路９２は、有線通信回路または無線通信回路であり、ＣＰＵ８２からの指示に従って、ネットワークを介して、サーバ等の外部コンピュータと通信する。ただし、通信回路９２は、ネットワークを介さずに、有線または無線で、情報処理装置１０と直接通信することも可能である。
【００４４】
なお、図３に示す画像形成装置７０の電気的な構成は単なる一例であり、これに限定される必要はない。
【００４５】
このような構成の情報処理システム１００では、情報処理装置１０のディスプレイ１４に操作画面を表示し、タッチパネル１２へのタッチ入力に応じてユーザ操作を受け付ける。たとえば、情報処理システム１００で実行可能な複数の機能の各々に割り当てられた複数のアイコンを含むホーム画面がディスプレイ１４に表示される。ユーザ操作によっていずれかのアイコンが選択された場合に、選択されたアイコンに対応する設定画面がディスプレイ１４に表示される。この設定画面において、具体的な設定が行われ、各機能が情報処理装置１０または画像形成装置７０で実行される。
【００４６】
しかしながら、従来の情報処理装置では、ホーム画面において、誤操作によってユーザが意図したアイコンとは異なるアイコンが間違えて押されてしまうことがある。また、誤操作によってディスプレイの表示が設定画面に切り替わっても、ユーザが誤操作に気づかずに、設定画面において操作を続けてしまうことがある。
【００４７】
そこで、この第１実施例では、ホーム画面（第１画面に相当）１１０に表示される複数のアイコン１１２の各々が、他のアイコン１１２に着色された色とは異なる色が着色された第１領域を含むようにした。また、ユーザの操作によっていずれかのアイコン１１２が選択された場合に表示される第２画面が、対応するアイコン１１２に含まれる第１領域に着色された色と同じ色が着色された第２領域を含むようにした。ただし、同じ色とは、完全な同一色でなくても、人間の目で見て、互いの色の区別が困難な程度に同一であることを意味する。また、色が同じとは、色相（色合い）が同じであることを意味し、色相が同じであれば、明度（明るさ）が異なる場合であっても、同じ色とする。
【００４８】
以下、図４ないし図８を参照して情報処理システム１００の動作例を説明する。図４はホーム画面１１０の一例を示す図解図である。図５はコピー設定画面１２０の一例を示す図解図である。図６はコピー設定画面１２０の一例を示す図解図である。図７は詳細設定画面１４０の一例を示す図解図である。図８は確認画面１６０の一例を示す図解図である。
【００４９】
情報処理装置１０および画像形成装置７０の主電源がオンされて、各機能を実行可能な待機状態にある場合、情報処理装置１０のディスプレイ１４には、図４に示すようなホーム画面１１０が表示される。ホーム画面１１０は、各種のジョブを選択するための画面である。ただし、この第１実施例では、ジョブは、コピー、スキャン、印刷（プリント）およびファクスの送信などを意味する。このホーム画面１１０には、各ジョブを選択するための複数のアイコン１１２Ａ〜１１２Ｇの画像が表示される。アイコン１１２Ａ〜１１２Ｇの各々には、“コピー”、“ファクス”、“写真サービス”，“ネットワークプリント”、“スキャン”、“行政サービス”および“スマホからプリント”等のジョブ（サービス）が割り当てられている。以下、アイコン１１２Ａ〜１１２Ｇを特に区別する必要が無い場合には、単に「アイコン１１２」と呼ぶことにする。
【００５０】
アイコン１１２は、略矩形状の枠で囲まれた画像であり、ソフトウェアキーとして機能する。このアイコン１１２は、名称を表示する領域（名称表示領域）および第１領域を含む。名称表示領域は、アイコンに対応する機能の名称を表示する領域であり、アイコン１１２の上下方向の中央から下側の部分に設けられる。
【００５１】
第１領域は、名称表示領域の上側に設けられ、白色および黒色以外の所定の色に着色される。ただし、第１領域に着色された色は、他のアイコン１１２の第１領域に着色された色とは異なる。つまり、アイコン１１２Ａ〜１１２Ｇの各々の第１領域に着色された色は、それぞれ互いに異なる。また、アイコン１１２は、他のアイコン１１２の第１領域に着色された色を含まない。ただし、アイコン１１２は、白色または黒色を含むことがある。
【００５２】
また、第１領域は、タブ１１４およびマーク画像１１６を含む。タブ１１４は、アイコン１１２の上部に帯状に配置される。マーク画像１１６は、アイコン１１２に対応するジョブの内容に応じた図形の画像であり、アイコン１１２の左上部に配置される。たとえば、マーク画像１１６は、タブ１１４の左端部および名称表示領域の左上部に重なるように配置される。
【００５３】
ホーム画面１１０に含まれるいずれかのアイコン１１２がタッチ（選択）されると、ディスプレイ１４には、アイコン１１２に割り当てられたジョブの設定を行うための複数の設定画面（第２画面に相当）が順次表示される。たとえば、コピージョブが割り当てられたアイコン１１２Ａがタッチされると、コピージョブについての設定を行うための最初の設定画面として図５に示すようなコピー設定画面１２０が表示される。
【００５４】
コピー設定画面１２０は、第２領域および設定領域１２６を含む。第２領域は、タブ１２２およびマーク画像１２４を含む。また、第２領域は、ホーム画面１１０で選択されたジョブに対応するアイコン１１２（図５に示す例ではコピージョブに対応するアイコン１１２Ａ）の第１領域の色と同じ色に着色される。
【００５５】
ただし、第２領域に着色された色は、対応するアイコン１１２以外のアイコン１１２の第１領域に着色された色とは異なる。また、コピー設定画面１２０は、コピージョブに対応するアイコン１１２Ａ以外のアイコン１１２の第１領域に着色された色を含まない。これらのことは、他の設定画面（後述する詳細設定画面１４０、確認画面１６０等）でも同じである。
【００５６】
タブ１２２は、上述したタブ１１４と同様に、コピー設定画面１２０の上部に帯状に配置される。したがって、アイコン１１２におけるタブ１１４の配置と、コピー設定画面１２０（第２画面）におけるタブ１２２の配置とは、同じである（相似する）と言える。後述するタブ１４２，１６２，１８２，２０２も同様である。また、タブ１２２には、コピー設定画面１２０を閉じるための閉じるアイコン１２２ａが表示される。閉じるアイコン１２２ａがタッチされると、コピー設定画面１２０が閉じられて（非表示にされて）ホーム画面１１０がディスプレイ１４に表示される。後述する閉じるアイコン１４２ａ，１６２ａ，１８２ａ，２０２ａも同様である。
【００５７】
マーク画像１２４は、対応するアイコン１１２（アイコン１１２Ａ）のマーク画像１１６と同じ図形の画像を含み、コピー設定画面１２０の左上部に配置される。また、マーク画像１２４は、タブ１２２の左端部および設定領域１２６に重なるように配置される。
【００５８】
上述したように、アイコン１１２に含まれるマーク画像１１６は、そのアイコン１１２の左上部に配置され、タブ１１４の左端部にその一部が重なるように配置される。したがって、アイコン１１２におけるマーク画像１１６の配置と、コピー設定画面１２０（第２画面）におけるマーク画像１２４の配置とは、同じである（相似する）と言える。後述するマーク画像１４４，１６４，１８４，２０４も同様である。
【００５９】
つまり、アイコン１１２Ａと、アイコン１１２Ａに対応するコピー設定画面１２０とは、タブ１２２およびマーク画像１２４の配置などから、相似すると言える。図示は省略するが、このことは、他のアイコン１１２および他のアイコン１１２に対応する設定画面においても同じである。
【００６０】
設定領域１２６は、コピージョブの基本設定を行うための領域である。コピージョブの基本設定には、２種類の設定（白黒コピー／カラーコピーの設定および片面コピー／両面コピーの設定）が含まれる。設定領域１２６には、４つのアイコン１２６ａ〜１２６ｄが表示される。アイコン１２６ａ〜１２６ｄの各々には、それぞれ異なる設定が割り当てられている。アイコン１２６ａ〜１２６ｄのいずれかがタッチされることによって、コピージョブの基本設定が決定される。
【００６１】
たとえば、図６に示すように、両面のカラーコピーの設定が割り当てられたアイコン１２６ｄがタッチされると、コピージョブの基本設定が“両面のカラーコピー”に決定される。このようにコピージョブの基本設定が決定されると、ディスプレイ１４の表示が次の設定画面に切り替わる。ここで、アイコン１２６ｄがタッチされたときから、次の設定画面に切り替わるまでの間（たとえば１秒間）、アイコン１２６ｄは、第２領域の色（対応するアイコン１１２の第１領域の色）と同じ色に着色された状態となる。
【００６２】
そして、コピー設定画面１２０においてコピージョブの基本設定が決定されると、図７に示すように、ディスプレイ１４には、詳細設定画面１４０が表示される。
【００６３】
詳細設定画面１４０は、たとえばコピー用紙の設定を行うための画面であり、第２領域および設定領域１４８を含む。
【００６４】
詳細設定画面１４０における第２領域は、タブ１４２、マーク画像１４４およびヘルプアイコン１４６を含む。このため、ヘルプアイコン１４６は、対応するアイコン１１２の第１領域の色と同じ色に着色される。このことは、ヘルプアイコン１４６は、タブ１４２およびマーク画像１４４の色と同じ色に着色されるとも言える。
【００６５】
ヘルプアイコン１４６は、詳細設定画面１４０の右上部に配置される。このヘルプアイコン１４６には、ＦＡＱを検索したりする等のヘルプモードの実行を指示する機能が割り当てられる。後述するヘルプアイコン１６６，２０６も同様である。
【００６６】
設定領域１４８は、コピー用紙の設定を行うための領域である。この設定領域１４８には、複数のアイコンが表示される。複数のアイコンのそれぞれには、互いに異なるコピー用紙の設定が割り当てられている。複数のアイコンのいずれかがタッチされることによって、コピー用紙の設定が決定される。コピー用紙の設定が決定されると、ディスプレイ１４の表示が次の設定画面に切り替わる。
【００６７】
このように、コピージョブの設定が完了するまで、コピージョブのための複数の設定画面がディスプレイ１４に順次表示され、ユーザ操作に応じてコピージョブの設定が決定される。そして、コピージョブの設定が完了し、原稿が画像読取部７２で読み取られると、図８に示すような確認画面１６０がディスプレイ１４に表示される。
【００６８】
確認画面１６０は、たとえばコピージョブを実行するかどうかの確認をユーザに促すための画面であり、第２領域およびプレビュー領域１６８などを含む。
【００６９】
ただし、確認画面１６０における第２領域は、タブ１６２、マーク画像１６４、ヘルプアイコン１６６および開始アイコン１７０を含む。このため、開始アイコン１７０は、対応するアイコン１１２の第１領域の色と同じ色に着色される。この開始アイコン１７０は、コピージョブの実行を指示する機能が割り当てられる。開始アイコン１７０がタッチされると、コピージョブの設定に従って、コピージョブが実行される。
【００７０】
プレビュー領域１６８には、画像読取部７２で読み取られた原稿の画像が表示される。また、詳細な説明は省略するが、確認画面１６０には、原稿の読み取りをやり直すことを指示する機能が割り当てられるアイコン、コピーされる部数を変更するためのアイコンおよび料金を表示するアイコン等が設けられる。
【００７１】
以上のように、“コピー”ジョブが割り当てられたアイコン１１２Ａがタッチされた場合について説明したが、他のアイコン１１２が選択された場合も同様である。たとえば、図５に示すホーム画面１１０で“スキャン”ジョブが割り当てられたアイコン１１２Ｅがタッチされると、ディスプレイ１４には、図９に示すようなスキャン設定画面１８０が表示される。
【００７２】
スキャン設定画面１８０は、タブ１８２、マーク画像１８４および設定領域１８６を含む。
【００７３】
設定領域１８６は、スキャンした読取画像データの記憶先の設定を行うための領域である。この設定領域１８６には、次の設定画面に進むためのアイコン１８６ａが表示される。読取画像データの記憶先が決定され、アイコン１８６ａがタッチされると、ディスプレイ１４の表示が次の設定画面に切り替わる。たとえば、図１０に示すような詳細設定画面２００がディスプレイ１４に表示される。
【００７４】
ただし、スキャン設定画面１８０における第２領域は、タブ１８２、マーク画像１８４およびアイコン１８６ａを含む。このため、タブ１８２、マーク画像１８４およびアイコン１８６ａは、対応するアイコン１１２（図９に示す例ではアイコン１１２Ｅ）の第１領域の色と同じ色に着色される。
【００７５】
詳細設定画面２００は、上述した詳細設定画面１４０およびスキャン設定画面１８０等と同様に、第２領域（タブ２０２、マーク画像２０４およびヘルプアイコン２０６）および設定領域２０８等を含む。
【００７６】
そして、スキャンジョブの設定が完了するまで、スキャンジョブのための設定画面がディスプレイ１４に順次表示され、ユーザ操作に応じてスキャンジョブの設定が決定される。図示は省略するが、スキャンジョブの設定が完了すると、上述したコピージョブの場合と同様に、確認画面がディスプレイ１４に表示される。
【００７７】
この第１実施例では、ホーム画面１１０に表示される複数のアイコン１１２の各々が他のアイコン１１２とは異なる色が着色された第１領域を含み、アイコン１１２に割り当てられたジョブのための設定画面において、そのアイコン１１２に含まれる第１領域に着色された色と同じ色が着色された第２領域を含む。このため、ディスプレイ１４に表示されるＧＵＩの視認性を向上させ、誤操作を防止することができる。
【００７８】
また、第１実施例によれば、ホーム画面１１０に表示される複数のアイコン１１２の各々が、他のアイコン１１２の第１領域に着色された色を含まないので、複数のアイコン１１２の各々を識別しやすくなり、より適切に誤操作を防止することができる。
【００７９】
さらに、第１実施例では、各設定画面は、ホーム画面１１０で選択されたジョブに対応するアイコン１１２以外のアイコン１１２の第１領域に着色された色を含まない。このため、ホーム画面１１０において意図したアイコン１１２以外のアイコン１１２をユーザが誤って選択したしまった場合には、各設定画面が含む色によって誤操作に気づき易くなり、より適切に誤操作を防止することができる。
【００８０】
さらにまた、第１実施例によれば、ホーム画面１１０に表示される複数のアイコン１１２の各々が、アイコン１１２に対応するジョブの内容に応じたマーク画像１１６を含むので、複数のアイコン１１２の各々に割り当てられた機能を認識しやすくなり、より適切に誤操作を防止することができる。
【００８１】
また、マーク画像１１６が、同じアイコン１１２のタブ１１４の色と同じ色に着色されているので、複数のアイコン１１２の各々を識別しやすくなり、より適切に誤操作を防止することができる。
［第２実施例］
第２実施例の情報処理装置１０では、複数のアイコン１１２をグループに分類し、同じグループに属するアイコン１１２の第１領域に同系色が着色されるようにした以外は第１実施例と同じであるため、第１実施例と異なる内容について説明し、重複した説明については省略することにする。
【００８２】
第２実施例では、図４に示すような複数のアイコン１１２の各々は、そのアイコン１１２に対応する機能に応じてグループに分類される。
【００８３】
たとえば、複数のアイコン１１２の各々は、プリント（印刷）を行うグループ（第１グループ）、原稿のスキャンを行うグループ（第２グループ）および所定のサービスを行うグループ（第３グループ）に分類される。
【００８４】
“コピー”に対応するアイコン１１２Ａ、“ネットワークプリント”に対応するアイコン１１２Ｄおよび“スマホからプリント”に対応するアイコン１１２Ｇは、プリントを行う第１グループに分類される。
【００８５】
“ファクス”に対応するアイコン１１２Ｂおよび“スキャン”に対応するアイコン１１２Ｅは、原稿のスキャンを行う第２グループに分類される。
【００８６】
“写真サービス”に対応するアイコン１１２Ｃおよび“行政サービス”に対応するアイコン１１２Ｆは、所定のサービスを行う第３グループに分類される。
【００８７】
そして、同じグループに属するアイコン１１２の第１領域には、同系色が着色される。ただし、「同系色」とは、図１１に示す色相環において、対象となる色に対して隣り合う色を意味する。たとえば、図１１に示すように、黄色の同系色は、黄緑および黄みの橙である。
【００８８】
第１グループに属するアイコン１１２の第１領域と、第２グループに属するアイコン１１２の第１領域と、第３グループに属するアイコン１１２の第１領域とには、それぞれ同系色が着色されていると言える。たとえば、第１グループでは、アイコン１１２Ａの第１領域は青色に着色され、アイコン１１２Ｄの第１領域は青緑色に着色され、アイコン１１２Ｇの第１領域は緑みの青色に着色される。図１１に示す色相環から分かるように、青緑色、青色および緑みの青色は同系色である。
【００８９】
また、第２グループでは、アイコン１１２Ｂの第１領域は赤色に着色され、アイコン１１２Ｅの第１領域は赤色と同系色の赤紫色に着色される。さらに、第３グループでは、アイコン１１２Ｃの第１領域は黄色に着色され、アイコン１１２Ｆの第１領域は黄色と同系色の黄みの橙色に着色される。
【００９０】
この第２実施例によれば、複数のアイコン１１２をグループに分類し、同じグループに属するアイコン１１２の第１領域に同系色が着色されるようにしたので、複数のアイコン１１２の各々に割り当てられた機能を認識しやすくなり、より適切に誤操作を防止することができる。
【００９１】
また、第２実施例によれば、アイコン１１２の第１領域に、他のグループに属するアイコン１１２の第１領域に着色された色とは異なる系統の色が着色されるようにしたので、複数のアイコン１１２の各々を認識しやすくなり、より適切に誤操作を防止することができる。
【００９２】
なお、第２実施例では、複数のアイコン１１２の各々を、機能に応じて３つのグループに分類したが、これに限定される必要は無い。たとえば、複数のアイコン１１２の各々を、或る機能を有するかどうかに応じて２つのグループに分類するようにしても良い。また、複数のアイコン１１２の各々を、４つ以上のグループに分類するようにしても良い。
【００９３】
また、第２実施例では、複数のアイコン１１２の各々を、プリント、スキャンおよび所定のサービスの機能を有するかどうかに応じて分類したが、これに限定される必要は無い。たとえば、複数のアイコン１１２の各々を、外部と通信を行うかどうかに応じて分類しても良いし、ユーザ認証を行うかどうかに応じて分類しても良い。このように、どのような機能に応じて複数のアイコン１１２の各々を分類するかについては、適宜変更可能である。
【００９４】
さらに、第２実施例で説明した各グループに属するアイコン１１２の第１領域に着色される色は一例であり、これに限定される必要は無い。各グループに属するアイコン１１２が識別可能であれば、各グループに属するアイコン１１２の第１領域に着色される色は適宜変更可能である。
【００９５】
さらにまた、第２実施例では、図１１に示す１２色の色相環を用いて説明したが、２４色の色相環を用いることもできる。この場合、「同系色」とは、対象となる色に対して隣り合う色に限定されない。たとえば、対象となる色を中心に９０°の範囲内に位置する色を「同系色」とすることもできる。
［第３実施例］
第３実施例の情報処理装置１０では、アイコン１１２に対応する機能が含む情報処理装置１０または画像形成装置７０の動作に応じて、タブ１１４に着色される色が設定されるようにした以外は第１実施例と同じであるため、第１実施例と異なる内容について説明し、重複した説明については省略することにする。
【００９６】
図１２は第３実施例のカラー設定テーブルの一例を示す図解図である。図１２に示すように、カラー設定テーブルは、画像形成装置７０の動作の名称に対応して、色が記述される。このカラー設定テーブルのデータは、ＲＡＭ８４に記憶される（図２参照）。
【００９７】
図１２に示すカラー設定テーブルの例では、画像形成装置７０の動作の名称の欄には、“スキャン”、“プリント”、“メディア通信”、“ＷＥＢアクセス”、“ユーザ認証”および“外部通信”などの動作名が記述される。
【００９８】
ただし、画像形成装置７０の動作の名称の欄に記述される内容は、画像形成装置７０における内部処理で作成および使用されるだけである。このため、各動作が識別可能であれば、動作名は、数字でもよいし、人間が解読できない記号で記述されてもよい。
【００９９】
また、色の欄には、画像形成装置７０の動作の名称に応じた色を示す文字が記述される。ただし、画像形成装置７０の動作毎に、異なる色が設定される。
【０１００】
“スキャン”は、画像読取部７２で原稿を読み取って、読取画像データを生成する動作を意味する。
【０１０１】
“プリント”は、画像形成部７４で用紙上に画像を形成する（印刷する）動作を意味する。
【０１０２】
“メディア通信”は、ユーザ端末、ＳＤカードまたはＵＳＢメモリなどの各種の記録媒体と通信して、記録媒体からデータを読み出したり、記録媒体にデータを書き込んだりする動作を意味する。ただし、ユーザ端末と通信する場合には、赤外線方式、Ｂｌｕｅｔｏｏｔｈ（登録商標）方式またはＮＦＣ(Near Field Communication)方式などの無線通信によって画像形成装置７０とユーザ端末との間でデータを送受信するようにしても良い。
【０１０３】
“ＷＥＢアクセス”は、ネットワークを介してサーバ等の外部コンピュータと通信して、外部コンピュータからデータを読み出したり、外部コンピュータにデータを書き込んだりする動作を意味する。
【０１０４】
“ユーザ認証”は、画像形成装置７０がユーザを識別する動作を意味する。たとえば、“ユーザ認証”が実行される場合には、ユーザを特定するために、ユーザＩＤおよびパスワードの入力等をユーザに要求する。
【０１０５】
“外部通信”は、ファクシミリ通信により外部端末に読取画像データを送信したり、外部端末から送信された画像データを受信したりする動作を意味する。ただし、“外部通信”には、ネットワークを介してデータを送受信する動作は含まれない。
【０１０６】
図１３は第３実施例のホーム画面１１０の一例を示す図解図である。図１３に示すように、カラー設定テーブルに従って、アイコン１１２に対応する機能が含む画像形成装置７０の動作に応じてタブ１１４に着色される色が設定される。
【０１０７】
たとえば、コピージョブが割り当てられたアイコン１１２Ａのタブ１１４には、“スキャン”および“プリント”の動作に対応する２つの色が着色される。これは、コピージョブが、“スキャン”および“プリント”の動作を含むからである。
【０１０８】
ただし、タブ１１４では、アイコン１１２に対応する機能が含む動作のうち、先に行われる動作に対応する色が左側に配置され、後に行われる動作に対応する色が右側に配置される。たとえば、コピージョブの場合は、原稿がスキャンされた後に、スキャンされた読取画像データに応じて印刷されるので、“スキャン”に対応する色が左側に配置され、“プリント” に対応する色が右側に配置される。
【０１０９】
他のアイコン１１２もアイコン１１２Ａと同様に、アイコン１１２に対応する機能が含む動作に応じて２つの色が着色される。
【０１１０】
この第３実施例によれば、アイコン１１２に対応する機能が含む画像形成装置７０の動作に応じてタブ１１４に着色される色が設定されるので、複数のアイコン１１２の各々に割り当てられた機能が含む動作を認識することができる。つまり、色によって複数のアイコン１１２の各々に割り当てられた機能の内容を認識することができる。このため、適切に誤操作を防止することができる。
【０１１１】
なお、上述の実施例で挙げた具体的な構成等は一例であり、実際の製品に応じて適宜変更することが可能である。
【符号の説明】
【０１１２】
１０  …情報処理装置
１２  …タッチパネル
１４  …ディスプレイ
３２  …ＣＰＵ
３４  …ＲＡＭ
３６  …ＲＯＭ
７０  …画像形成装置
１００…ホーム画面（第１画面）
１２０…コピー設定画面（第２画面）
１４０…詳細設定画面（第２画面）
１６０…確認画面（第２画面）
【図１】
2019070939.tif 000003
【図２】
2019070939.tif 000004
【図３】
2019070939.tif 000005
【図４】
2019070939.tif 000006
【図５】
2019070939.tif 000007
【図６】
2019070939.tif 000008
【図７】
2019070939.tif 000009
【図８】
2019070939.tif 000010
【図９】
2019070939.tif 000011
【図１０】
2019070939.tif 000012
【図１１】
2019070939.tif 000013
【図１２】
2019070939.tif 000014
【図１３】
2019070939.tif 000015